(57)【要約】【課題】  複数枚からなる原稿に縮小された画像で構成された原稿が含まれていた場合、視覚障害者などのユーザーがコピー機での出力を得る際、そのままコピーしてもそのユーザーにとって大変見づらい。【解決手段】  紙にＲＦＩＤタグを付け、その紙のレイアウト情報を保存しておく。コピーする際にそのレイアウト情報を読み出し、判断することにより、自動拡大を行い、わずらわしい設定をすることなく、見やすい出力を得る。【選択図】  図１
2006148444.tif 000002
【特許請求の範囲】
【請求項１】
画像データを読み込む画像データ読み込み手段と、
前記画像データを記憶するメモリ手段と、
前記画像データを用紙に印刷する印刷手段と、
ＲＦＩＤと通信を行ってＲＦＩＤの持つ情報を読み書きする通信手段と
上記手段を制御するコントローラとを有し、
前記印刷手段で印刷する際にＲＦＩＤに前記通信手段を使用しその印刷物のレイアウト情報を書き込むことを特徴とする画像処理装置。
【請求項２】
画像データを読み込む画像データ読み込み手段と、
前記画像データを記憶するメモリ手段と、
前記画像データを用紙に印刷する印刷手段と、
ＲＦＩＤと通信を行ってＲＦＩＤの持つ情報を読み書きする通信手段と
上記手段を制御するコントローラとを有し、
前記画像データ読み込み手段で画像データを読み込む際にＲＦＩＤから前記通信手段を使用し取得したレイアウト情報によって、前記コントローラの制御方法を変更することを特徴とする画像処理装置。
【発明の詳細な説明】
【技術分野】
【０００１】
本発明は、スキャナ・プリンタ・ネットワークインターフェイス・画像処理システムを持つ画像処理装置に関するものである。
【背景技術】
【０００２】
従来から、複数の原稿を１枚の用紙にまとめてプリントする縮小レイアウト機能と呼ばれる機能や、１枚の原稿から複数の用紙に分割してプリントする拡大レイアウト機能と呼ばれる機能がある（特許文献１参照）。
【特許文献１】特開２０００−１７５１１８号公報
【発明の開示】
【発明が解決しようとする課題】
【０００３】
しかしながら、上記拡大レイアウト機能は、コピーを実行する際すべてに効果を発揮してしまう。例えば５枚の原稿の中に１枚だけ縮小レイアウトした原稿がある場合、１枚だけを拡大コピーすればよいが、上記拡大レイアウト機能では５枚の原稿すべてを拡大コピーしてしまう。この場合、４枚の原稿の通常コピーと、１枚の原稿の拡大コピーをそれぞれ設定しなければならない。
【０００４】
視聴覚障害などを持ったユーザーが、複数枚からなる原稿内に縮小レイアウトが含まれていた場合、そのままコピーしてもそのユーザーにとって大変見づらい。また、拡大レイアウト機能を使用しても、上記で説明したように、原稿内に縮小レイアウトが混在している場合には、設定や作業がとてもわずらわしく、大変である。
【課題を解決するための手段】
【０００５】
そこで、本発明では、前述の課題を解決するために、
画像データを読み込む画像データ読み込み手段と、前記画像データを記憶するメモリ手段と、前記画像データを用紙に印刷する印刷手段と、ＲＦＩＤと通信を行ってＲＦＩＤの持つ情報を読み書きする通信手段と上記手段を制御するコントローラとを有し、前記印刷手段で印刷する際にＲＦＩＤに前記通信手段を使用しその印刷物のレイアウト情報を書き込むことを特徴とする。
【０００６】
また、画像データを読み込む画像データ読み込み手段と、前記画像データを記憶するメモリ手段と、前記画像データを用紙に印刷する印刷手段と、ＲＦＩＤと通信を行ってＲＦＩＤの持つ情報を読み書きする通信手段と上記手段を制御するコントローラとを有し、前記画像データ読み込み手段で画像データを読み込む際にＲＦＩＤから前記通信手段を使用し取得したレイアウト情報によって、前記コントローラの制御方法を変更することを特徴とする。
【発明の効果】
【０００７】
以上のように、Ｎｉｎ１の縮小レイアウトの時はその出力物のＲＦＩＤタグに縮小レイアウトの情報が書き込まれ、その出力物を原稿として使う際、そのＲＦＩＤタグの情報と、前もって設定する自動拡大モードであるかの情報を使用することにより、縮小レイアウトの原稿が自動的に拡大されて出力されることになる。
【０００８】
ゆえに、視聴覚障害などを持ったユーザが、複数枚からなる原稿内に縮小レイアウトが含まれている場合でも簡単な操作で、見やすい出力物を得ることが出来る。また、自動拡大モードを設定しておくことにより、コピーの際に何もせずに拡大された見やすい出力物を得ることが出来る。
【発明を実施するための最良の形態】
【０００９】
以下、本発明にかかる一実施形態について、図面を参照して詳細に説明する。
【００１０】
図１は、本発明の実施形態を示す画像処理装置の一例として多機能周辺機器（ＭＦＰ：Ｍｕｌｔｉ−Ｆｕｎｃｔｉｏｎ  Ｐｅｒｉｐｈｅｒａｌ）の構成を示す図である。
【００１１】
図１において、１０１は多機能周辺機器を制御するためのコントローラであり、図２に示すハードウエア構成を有している。１０２はスキャナエンジンであり、コントローラ１０１によって制御されている。１０３はレーザービームプリンタエンジンであり、コントローラ１０１によって制御されている。１０３のレーザービームプリンタエンジン１はフィニッシャー１０４に接続されており、同プリンタエンジンから出力された複数の記録媒体（例えば、紙）をまとめてステープル（ホッチキス）処理することが可能となっている。フィニッシャー１０４もコントローラ１０１によって制御されている。１０５はネットワーク（イーサーネット）インターフェースであり、コントローラ１０１に対して同インターフェースを通した双方向通信を提供している。１０６はユーザーインタフェースであり、ＬＣＤディスプレイとキーボードから構成されており、コントローラ１０１からの情報表示を行うとともにユーザからの指示をコントローラ１０１に伝える。１０７はＲＦＩＤリーダ、１０８はＲＦＩＤライタであり、無線通信によってＲＦＩＤタグ情報を読み出し、書き込みすることができ、コントローラにＲＦＩＤタグ情報を送ることができる。
【００１２】
図２は本実施形態のシステム構成を示す図である。図２において、２０１、２０２は図１に示す多機能周辺機器（ＭＦＰ）である。２０３はホストコンピュータである。ＭＦＰ２０１はネットワークインターフェースケーブル２０４によってＭＦＰ２０２、ホスト２０３にそれぞれ接続されている。ネットワークケーブル２０４に接続されているＭＦＰ２０１、２０２、ホスト２０３はＩＰアドレス、ポート番号を指定して接続しＩＰパケットデータを出力することでデータの送受信を行う。これによってホストからＰＤＬジョブを投入したり、ＭＦＰの情報を吸い上げたりする。
【００１３】
図３は、図１に示す本実施形態のコントローラ１０１のハードウエア構成を示す図である。コントローラ１０１の内部では、ＣＰＵ３０１がバス３０９を介して、メモリ３０２，操作部１０６を構成する液晶ディスプレイ３０３及びキーボード３０４，ＲＯＭ３１０，ＤＩＳＫ３１１が接続されている。各種プログラム及びデータは、ハードディスクやフロッピー（登録商標）ディスク等のＤＩＳＫ３１１（記憶媒体）に記憶されており、必要に応じて順次メモリ３０２に読み出されてＣＰＵ３０１で実行される。このＤＩＳＫ３１１は、ＭＦＰに着脱可能でもＭＦＰに内蔵されたものでも良い。更に、プログラムは、ネットワークを介して他のＭＦＰからダウンロードされてＤＩＳＫ３１１に記憶される構成でも良い。
【００１４】
液晶ディスプレイ３０３、キーボード３０４は図１に示す操作部１０６を構成するものであり、ＣＰＵ３０１がディスプレイ３０３にデータを書き込むことにより表示を行い、ＣＰＵ３０１がキーボード３０４からデータを読み出すことにより、ユーザからの指示を入力する。
【００１５】
また、バス３０９には、ネットワークインターフェース３０５が接続されており、図１に示すネットワークインターフェース１０５に対応する。ＣＰＵ３０１がインターフェースからデータを読み込みまたは書き込むことによりインターフェースを使用した通信を行う。ＲＦＩＤリーダ３１２、ＲＦＩＤライタ３１３もバスにつながっており、無線通信により、結果をコントローラに送信、および、コントローラからの書き込み、をすることができる。
【００１６】
更に、バス３０９には、プリンタ３０６，フィニッシャ３０７，スキャナ３０８，が接続されており、これらは、図１に示すプリンタ１０３，フィニッシャ１０４，スキャナ１０２に対応するものであり、ＣＰＵ３０１がこれらのエンジンに対してデータの読み書きを行うことによりプリント・スキャンなどのエンジン動作および各種ステータス取得を行う。なお、プリンタ３０６，フィニッシャ３０７，スキャナ３０８は、ＭＦＰの内部ではなく、ネットワーク上にそれぞれ単体の周辺機器として存在し、それをＭＦＰのコントローラー１０１が制御しても良い。
【００１７】
ＭＦＰの概観を図４に示す。画像入力デバイスであるスキャナ部４０１は、原稿となる紙上の画像を照明し、ＣＣＤラインセンサを走査することで、ラスターイメージデータとして電気信号に変換する。
【００１８】
画像出力デバイスであるプリンタ部４０２は、ラスターイメージデータを用紙上の画像に変換する部分である。プリント動作の起動や停止は、コントローラＣＰＵ３０１からの指示によって開始する。
【００１９】
操作部４０３の構成を図５に示す。液晶表示部５０１は、液晶上にタッチパネルシートが貼られており、システムの操作画面およびソフトキーを表示するとともに、表示してあるキーが押されるとその位置情報をコントローラＣＰＵ３０１に伝える。スタートキー５０２は原稿画像の読み取り動作を開始する時などに用いる。スタートキー５０２中央部には、緑と赤の２色ＬＥＤ５０３があり、その色によってスタートキー５０２が使える状態にあるかどうかを示す。ストップキー５０４は稼働中の動作を止める働きをする。テンキー５０５は部数などの数値入力をおこなう。
【００２０】
図６においてスキャナ部４０１の詳細な説明を行う。原稿６０３上の情報は原稿読み取り装置６１９の露光部６１３に対して原稿６０３を相対的に移動させながら読み取られる。原稿６０３は原稿トレイ６０２にセットされる。原稿給紙ローラ６０４は分離パッド６０５と対になっていて、原稿６０３を一枚ずつ搬送する。搬送された原稿６０３は中間ローラ６０６で装置内に送られ、大ローラ６０８と第１従動ローラ６０９によって搬送され、さらに大ローラ６０８と第２従動ローラ６１０とによって搬送される。大ローラ６０８と第２従動ローラ６１０とで搬送された原稿６０３は、流し読み原稿ガラス６１２と原稿ガイド板６１７との間を通り、ジャンプ台６１８を経由して、大ローラ６０８と第３従動ローラ６１１とにより搬送される。大ローラ６０８と第３従動ローラ６１１とにより搬送された原稿６０３は原稿排紙ローラ対６０７により装置外に排出される。なお流し読み原稿ガラス６１２と原稿ガイド板６１７との間では原稿６０３は原稿ガイド板６１７によって流し読みガラス６１２に接触する形で搬送される。
【００２１】
原稿６０３は流し読み原稿ガラス６１２上を通過する際に、流し読み原稿ガラス６１２に接している面が露光部６１３によって露光される。その結果得られる原稿６０３からの反射光がミラーユニット６１４に伝達される。伝達された反射光はレンズ６１５を通過して集光されＣＣＤセンサ部６１６にて電気信号に変換される。また、ＲＦＩＤリーダ６１９により原稿内のＲＦＩＤタグから情報を読み取る。
【００２２】
本実施例では原稿トレイ６０２に原稿をおいた場合の読み込みについて説明しているが、原稿台６２１上においた場合の読み込みでもかまわない。
【００２３】
図７において、プリンタ部４０２詳細な説明を行う。この図はフルカラー画像形成装置の一例を示す。感光ドラム７０１は一次帯電気７１１により特定の極性電位に帯電処理され、図示しない露光手段によって７１２の矢印の位置が露光される。このようにして第一の色成分に対応した静電潜像が形成される。その後、７０２の四つある現像機中の一つの現像機を使用して現像される。中間転写ベルト７０３は矢印の方向に駆動され、感光ドラム上に形成された第一の色成分画像が、感光ドラムと中間転写ベルトの接合部分を通る過程で一次転写ローラ７１０によって形成された電界によって中間転写ベルトに転写される。中間転写ベルトに転写を終えた感光ドラムの表面はクリーニング装置７０４によって清掃される。この処理を順次繰り返し、四色の画像を中間転写ベルトに重ね合わせて、カラー画像を形成する。単色の画像を形成する場合は一度だけ転写処理を行う。中間転写ベルト７０３に転写された画像は二次転写ローラ７０９部分でカセット７０５より給紙された用紙に印刷される。画像が印刷された用紙は定着機７０６で加熱され定着される。定着後、ＲＦＩＤライタ７１３で用紙内のＲＦＩＤタグに情報を書き込む。その後、排紙口７０７まで用紙が搬送され機外に排出される。両面印刷を行う場合は、反転パス７０８をとおって用紙を循環させ、印刷処理を繰り返す。
【００２４】
図８において無線通信部の説明を行う。この図はＲＦＩＤリーダ、ＲＦＩＤライタとＲＦＩＤタグのハード構成を示すブロック図である。リーダライタ８０１から電流を流すと、８０２コイルにより磁界８０６が発生する。磁界８０６によってコイル８０３から電磁誘導により電流が発生し、回路８０４が駆動される。回路が駆動されると、回路はメモリ８０５からデータを読み出し、読み出し結果を返信するためにコイル８０３に電流を流す。コイル８０２から電磁誘導により電流が発生し、その値を読み取ることにより、リーダライタ８０１はメモリ８０５のデータを取得することができる。同様に、リーダライタ８０１はメモリ８０５にデータを書き込むことが出来る。
【００２５】
図９は紙９０１にアンテナとＩＣチップが組み込まれた外観を示す。９０３はＩＣチップである。９０４はコイル状のアンテナである。この構成がＲＦＩＤタグ内に組み込まれている。ＩＣチップ内には９０５に示されるような情報が格納されている。
【００２６】
図１０において、拡大レイアウト機能、縮小レイアウト機能について説明する。１００１は原稿１００２、１００３を縮小レイアウトした場合の出力である。この場合２枚の原稿を１枚の用紙に出力するため、２ｉｎ１の縮小レイアウトと呼ぶ。また、逆に１００１が原稿とした場合、２枚に拡大レイアウトした結果が１００２、１００３となる。
【００２７】
同様に、１００４は原稿１００５〜１００８を縮小レイアウトした場合の出力である。この場合４枚の原稿を１枚の用紙に出力するため、４ｉｎ１の縮小レイアウトと呼ぶ。また、逆に１００４が原稿とした場合、４枚に拡大レイアウトした結果が１００５〜１００８となる。
【００２８】
図１１は本実施例のコピーにおけるフローチャートを示す。１１０１〜１１０８は各ステップである。
【００２９】
スタートからＡまでが原稿読み込み、Ａからエンドまでがプリントの動作となっている。
【００３０】
ステップ１１０１では原稿があるかをチェックする。原稿がある場合はその原稿を読み込むためステップ１１０２へ進む。原稿がない場合はもう読み込む原稿がないのでＡ以降のプリントのシーケンスへ進む。ステップ１１０２では本実施例の特徴である自動拡大モードが設定されているかをチェックする。自動拡大モードが設定されている場合は、ステップ１１０３へ進む。
【００３１】
自動拡大モードが設定されているかをチェックする。設定されていない場合はステップ１１０６へ進む。ステップ１１０３ではＲＦＩＤリーダを使い原稿内のＲＦＩＤタグの情報を読み取る。続くステップ１１０４では読み取ったＲＦＩＤタグの情報に縮小レイアウトの情報（Ｎｉｎ１の情報）があるかをチェックする。縮小レイアウトの情報がある場合は、ステップ１１０５へ進み、読み出した縮小レイアウトの情報（Ｎｉｎ１の情報）に応じてＮ枚への拡大レイアウトで原稿読み込みを行う。縮小レイアウトの情報がない場合は、ステップ１１０６へ進む。ステップ１１０６では通常に原稿を読み込む。
【００３２】
続いてプリントの動作について説明する。ステップ１１０７でプリントを行う。続くステップ１１０８で縮小レイアウトの出力かをチェックする。縮小レイアウトの出力である場合はステップ１１０８へ進み、縮小レイアウトの情報（Ｎｉｎ１の情報）をＲＦＩＤライタを使い、用紙内のＲＦＩＤタグへ書き込み終了となる。縮小レイアウトの出力でない場合はそのまま終了である。
【００３３】
この処理を行うことで、Ｎｉｎ１の縮小レイアウトの時はその出力物のＲＦＩＤタグに縮小レイアウトの情報が書き込まれ、その出力物を原稿として使う際、そのＲＦＩＤタグの情報と、前もって設定する自動拡大モードであるかの情報を使用することにより、縮小レイアウトの原稿が自動的に拡大されて出力されることになる。
【００３４】
また、本実施例では、縮小レイアウトの情報を使用した場合について説明したが、用紙サイズ、画像サイズなどのレイアウト情報を使用し、余白分を拡大させることも可能である。
【図面の簡単な説明】
【００３５】
【図１】画像処理装置の全体構成を示す図。
【図２】システム構成図。
【図３】コントローラ構成図。
【図４】画像処理装置の入出力デバイス外観図。
【図５】操作部外観。
【図６】スキャナ内部。
【図７】プリンタ内部。
【図８】ＲＦＩＤリーダライタとＲＦＩＤタグのブロック図。
【図９】ＲＦＩＤタグ。
【図１０】縮小レイアウトと拡大レイアウト。
【図１１】フローチャート。
【図１】
2006148444.tif 000003
【図２】
2006148444.tif 000004
【図３】
2006148444.tif 000005
【図４】
2006148444.tif 000006
【図５】
2006148444.tif 000007
【図６】
2006148444.tif 000008
【図７】
2006148444.tif 000009
【図８】
2006148444.tif 000010
【図９】
2006148444.tif 000011
【図１０】
2006148444.tif 000012
【図１１】
2006148444.tif 000013